(57)【要約】【課題】バンドガンを使用するスペースの制約を受けずに結束バンドの取り付けにおける作業性を向上することができる結束バンドの固定構造を提供する。【解決手段】ワイヤハーネス挿通部４は底壁６と側壁７，８で囲まれワイヤハーネスを挿通する空間９と、入口１５と出口１６を備え筒状に形成した案内部材１１と、導出口１０とを備え、一方の側壁７が他方の側壁８よりも大きく突出して形成される。案内部材１１は底壁６に設け且つ導出口１０又は導出口１０近傍に設ける。案内部材１１は壁面１８の一部が他方の側壁８に連結して形成される入口１５を備え、出口１６が一方の側壁７に向くように形成され、筒方向がワイヤハーネス３０の軸方向に対して傾斜して形成される。【選択図】図１
2015097434.tif 000002
【特許請求の範囲】
【請求項１】
底壁と，該底壁の両端から突出する一対の側壁と，を有し、
前記底壁及び前記一対の側壁で囲まれた内側に、ワイヤハーネスを挿通する空間と，
前記ワイヤハーネスを前記空間内に固定する結束バンドを該結束バンドの先端から挿入する入口と、該入口から挿入された前記結束バンドを前記空間内に導出する出口と、を備え、筒状に形成した案内部材と，
前記ワイヤハーネスを前記空間から導出する導出口と，
を設けてなるワイヤハーネス挿通部を備え、
前記一対の側壁のうち、一方の側壁を、他方の側壁よりも大きく突出して形成する結束バンドの固定構造において、
前記案内部材を、前記底壁に設けるとともに、前記導出口又は該導出口近傍に設け、
前記案内部材を形成する壁面の一部が前記他方の側壁に連結して形成される前記入口を備え、前記出口が前記一方の側壁に向くように形成され、前記案内部材の筒方向が前記ワイヤハーネスの軸方向に対して傾斜して形成される
ことを特徴とする結束バンドの固定構造。
【請求項２】
請求項１に記載の結束バンドの固定構造において、
前記空間内における前記底壁と前記一方の側壁とが連続する部分に、断面略円弧状の湾曲部を形成し、該湾曲部は、前記出口から導出された前記結束バンドの先端が突き当たるように配置する
ことを特徴とする結束バンドの固定構造。
【請求項３】
請求項１又は２に記載の結束バンドの固定構造において、
前記案内部材は、前記入口から前記出口に向かって狭くなるように形成してなる
ことを特徴とする結束バンドの固定構造。
【発明の詳細な説明】
【技術分野】
【０００１】
本発明は、ワイヤハーネス等の電線束を結束バンドで作業性良く固定する結束バンドの固定構造に関する。
【背景技術】
【０００２】
ワイヤハーネス等の電線束を結束バンドで固定する結束バンドの固定構造に関しては、例えば、特許文献１に開示されているものが用いられてきた。特許文献１に記載されたワイヤハーネス用プロテクタは、図３において、底壁２と、底壁２の両端に立設される一対の側壁３，４と、を備えて構成されている。底壁２には、締結バンド１０の通し穴となる第１穴１１と、第２穴１２と、を設けている。第１穴１１は、挿通空間５（図１参照）から締結バンド１０のバンド片１０ａを通す穴として設けられている。第２穴１２は、第１穴１１を通したバンド片１０ａを通したバンド片１０ａを底壁２の背面側に回して挿通空間５に引き出す通し穴として設けられている。第２穴１２の周縁で且つ第１穴１１と反対側の周縁には、ガイド部１５が突設されている。ガイド部１５の第１穴１１側は、突当面１５ａとして形成されている。突当面１５ａには、第２穴１２からガイド部１５の突出端部にかけて、ガイドリブ１５ｂが設けられている。
【０００３】
図４（Ａ）において、ワイヤハーネスＷ／Ｈを挿通空間５（図１参照）に挿通する。しかる後、図４（Ｂ）において、締結バンド１０のバンド片１０ａを先端１０ａ−１からワイヤハーネスＷ／Ｈと側壁３との間に挿入する。バンド片１０ａをさらに挿入していくと、バンド片１０ａは第１穴１１に挿通される。しかる後、図４（Ｃ）において、バンド片１０ａの先端１０ａ−１を底壁２の中央部に向けると、ガイド部１５の突当面１５ａにバンド片１０ａの先端１０ａ−１が突き当たる。そうすることにより、図４（Ｄ）において、バンド片１０ａの先端１０ａ−１をガイドリブ１５ｂに添わせて底壁２側に向けると、先端１０ａ−１は第２穴１２に達する。そして、図４（Ｅ）において、バンド片１０ａの先端１０ａ−１は、第２穴１２に挿通され挿通空間５内に引き出される。つづいて、締結バンド１０の締結部１０ｂの係止穴１０ｃにバンド片１０ａの先端１０ａ−１を挿入し引っ張ることで、締結バンド１０は、ワイヤハーネスＷ／Ｈに直交して巻き付けられることになる。そうすることにより、ワイヤハーネスＷ／Ｈを底壁２に固定することができる。
【先行技術文献】
【特許文献】
【０００４】
【特許文献１】特開２０１０−９８９２１号公報
【発明の概要】
【発明が解決しようとする課題】
【０００５】
図５には、特許文献１に記載の締結バンドの固定構造を、コネクタホルダに応用した場合の構造を示している。図５において、コネクタホルダ１００は、樋状に形成され内側にワイヤハーネス（図示せず）を挿通するワイヤハーネス挿通部１０１を備えている。ワイヤハーネス挿通部１０１は、図５（ａ）において、コネクタホルダ１００を左方向に９０度回転させた状態でワイヤハーネス挿通部１０１の底部に相当する底壁１０２と、底壁１０２の両端から突出して形成されている一対の側壁１０３，１０４と、を備えている。ワイヤハーネス挿通部１０１の端部はワイヤハーネスが導出される導出口１０７として形成されている。一方の側壁１０３は、他方の側壁１０４よりも大きく突出して形成されている。導出口１０７側における底壁１０２と一方の側壁１０３とが連続する部分には、断面略円弧状に形成された第１湾曲部１０５が形成されている。また、導出口１０７側における底壁１０２と他方の側壁１０４とが連続する部分には、断面略円弧状に形成された第２湾曲部１０６が形成されている。一方の側壁１０３には、導出口１０７側に、締結バンド（図示せず）を先端から挿入する入口１０９と、入口１０９から挿入された締結バンドを導出する出口１１０と、を備える案内部材１０８が形成されている。
【０００６】
案内部材１０８の入口１０９に締結バンドを挿入していくと、出口１１０から導出された締結バンドの先端は、第１湾曲面１０５に添ってワイヤハーネス挿通部１０１内をワイヤハーネスの軸方向に直交するように案内される。さらに、締結バンドを案内部材１０８の入口に挿入していくと、締結バンドの先端は、第２湾曲部１０６に達し、第２湾曲部１０６に添って案内され、他方の側壁１０４に達する。
【０００７】
ここで、締結バンドをワイヤハーネスに巻き付けた後、締結バンドを締め付けて、ワイヤハーネスをワイヤハーネス挿通部１０１に固定するには、公知のバンドガン（図示せず）を用いる。しかしながら、一対の側壁１０３，１０４のうち一方の側壁１０３が他方の側壁１０４よりも大きく突出して形成されているため、案内部材１０８付近にバンドガンを差し込むことができない。したがって、バンドガンによる締結バンドの締め付けの作業性が悪いという問題点がある。なお、図５（ｂ）において、破線Ａで示す部分に、案内部材１０８を設けた場合であっても、バンドガンが入り込むスペースが確保できず、バンドガンによる締結バンドの締め付けの作業性の改善とはならない。
【０００８】
そこで、図６及び図７におけるコネクタホルダ２００では、底壁１０２に連続して締結バンド固定部材２０１を設けている。締結バンド固定部材２０１は、ワイヤハーネス３００を結束した締結バンド２０２が固定される部材である。コネクタホルダ２００によれば、締結バンド固定部材２０１は、ワイヤハーネス挿通部１０１の外側に突出して形成されている。そのため、締結バンド２０２でワイヤハーネス３００を固定する際、一方の側壁１０３がバンドガンによる結束バンド２０２の締め付け作業の障害になることはなくなる。したがって、バンドガン（図示せず）を使用するスペースを確保できる。しかしながら、締結バンド固定部材２０１は、ワイヤハーネス挿通部１０１の外側に大きく突出しているため、他の部分に比べて剛性が弱くなっている。このようなコネクタホルダ２００を車両等に取り付けると周囲の部材等に接触し締結バンド固定部材２０１が破損する虞がある。したがって、コネクタホルダ２００における締結バンドの固定構造を採用することは適切ではない。
【０００９】
本発明は、上記した事情に鑑みてなされたもので、バンドガンを使用するスペースの制約を受けずに結束バンドの取り付けにおける作業性を向上することができる結束バンドの固定構造を提供することを課題とする。
【課題を解決するための手段】
【００１０】
上記課題を解決するためになされた請求項１記載の本発明の結束バンドの固定構造は、底壁と，該底壁の両端から突出する一対の側壁と，を有し、前記底壁及び前記一対の側壁で囲まれた内側に、ワイヤハーネスを挿通する空間と，前記ワイヤハーネスを前記空間内に固定する結束バンドを該結束バンドの先端から挿入する入口と、該入口から挿入された前記結束バンドを前記空間内に導出する出口と、を備え、筒状に形成した案内部材と，前記ワイヤハーネスを前記空間から導出する導出口と，を設けてなるワイヤハーネス挿通部を備え、前記一対の側壁のうち、一方の側壁を、他方の側壁よりも大きく突出して形成する結束バンドの固定構造において、前記案内部材を、前記底壁に設けるとともに、前記導出口又は該導出口近傍に設け、前記案内部材を形成する壁面の一部が前記他方の側壁に連結して形成される前記入口を備え、前記出口が前記一方の側壁に向くように形成され、前記案内部材の筒方向が前記ワイヤハーネスの軸方向に対して傾斜して形成されることを特徴とする。
【００１１】
このような特徴を有する本発明によれば、案内部材を、底壁に設けるとともに、導出口又は導出口近傍に設けることになる。また、案内部材は、案内部材を形成する壁面の一部が他方の側壁に連結して形成される入口を備え、出口が一方の側壁に向くように形成される。そして、案内部材の筒方向がワイヤハーネスの軸方向に対して傾斜して形成される。そうすることにより、結束バンドを、この結束バンドの先端から案内部材の入口に挿入していくと、案内部材の出口から導出された結束バンドは、ワイヤハーネス挿通部の空間内において、ワイヤハーネスの軸方向に対して傾斜して案内される。したがって、ワイヤハーネス挿通部の空間内に挿通されたワイヤハーネスに結束バンドを作業性良く巻き付けることができる。
【００１２】
請求項２記載の本発明の結束バンドの固定構造は、請求項１に記載の結束バンドの固定構造において、前記空間内における前記底壁と前記一方の側壁とが連続する部分に、断面略円弧状の湾曲部を形成し、該湾曲部は、前記出口から導出された前記結束バンドの先端が突き当たるように配置することを特徴とする。
【００１３】
このような特徴を有する本発明によれば、挿通孔の出口から導出された結束バンドの先端が湾曲部に突き当たることになる。そうすることにより、結束バンドは、湾曲部に添って反り上がるように案内されることになる。このことから、結束バンドは、一方の側壁とワイヤハーネスとの隙間から導出されることになる。したがって、ワイヤハーネス挿通部の空間内に挿通されたワイヤハーネスに結束バンドを、より作業性良く巻き付けることができる。
【００１４】
請求項３記載の本発明の結束バンドの固定構造は、請求項１又は２に記載の結束バンドの固定構造において、前記案内部材は、前記入口から前記出口に向かって狭くなるように形成してなることを特徴とする。
【００１５】
このような特徴を有する本発明によれば、案内部材は、入口から出口に向かって狭くなるようになっている。そうすることにより、結束バンドの先端を案内部材の入口に挿入し易くなるとともに、結束バンドを、より確実に一方の側壁側で且つワイヤハーネスの軸方向に対して傾斜して案内することができるようになる。したがって、ワイヤハーネス挿通部の空間内に挿通されたワイヤハーネスに結束バンドを、より作業性良く巻き付けることができる。
【発明の効果】
【００１６】
請求項１に記載された本発明によれば、ワイヤハーネス挿通部の空間内に挿通されたワイヤハーネスに結束バンドを巻き付けることにより、結束バンドの結束部分を一方の側壁等の障害物が存在しない位置に設けることができる。そうすることにより、バンドガンで結束バンドを締め付ける際、一方の側壁等の障害物によって締め付け作業のスペースを奪われることなく結束部分にバンドガンを向けることができる。したがって、バンドガンを使用するスペースの制約を受けずに結束バンドの取り付けにおける作業性を向上することができる結束バンドの固定構造を提供することすることができるという効果を奏する。
【００１７】
請求項２に記載された本発明によれば、結束バンドは、湾曲部に添って反り上がるように案内されことにより、結束バンドを、一方の側壁とワイヤハーネスとの隙間から導出することができるようになる。したがって、結束バンドの取り付けにおける作業性を、より向上することができる結束バンドの固定構造を提供することすることができるという効果を奏する。
【００１８】
請求項３に記載された本発明によれば、結束バンドの先端を案内部材の入口に挿入し易くなるとともに、結束バンドを、より確実に一方の側壁側で且つワイヤハーネスの軸方向に対して傾斜して案内することができるようになる。したがって、結束バンドの取り付けにおける作業性を、より向上することができる結束バンドの固定構造を提供することすることができるという効果を奏する。
【図面の簡単な説明】
【００１９】
【図１】本発明の結束バンドの固定構造の一実施形態を示す斜視図である。
【図２】図１におけるワイヤハーネス挿通部付近の拡大斜視図である。
【図３】図１におけるワイヤハーネス挿通部付近の拡大斜視図である。
【図４】図１におけるワイヤハーネス挿通部付近の拡大斜視図である。
【図５】本発明の課題を説明する図である。
【図６】本発明の課題を説明する図である。
【図７】本発明の課題を説明する図である。
【発明を実施するための形態】
【００２０】
以下、図１−図４を参照しながら説明する。図１は本発明の結束バンドの固定構造の一実施形態を示す斜視図、図２は図１におけるワイヤハーネス挿通部付近の拡大斜視図であって、ワイヤハーネスを結束バンドで固定する作業手順を説明する図、図３は図２に続く図であって、ワイヤハーネス挿通部付近の拡大斜視図、図４は図３に続く図であって、ワイヤハーネス挿通部付近の拡大斜視図である。
【００２１】
図１において、引用符号１は、本発明の結束バンドの固定構造が適用されるコネクタホルダを示している。コネクタホルダ１は、車両等に配索されるワイヤハーネス３０（図２−図４参照）の端末に接続される複数のコネクタ（図示せず）を収容し保持するための部材である。コネクタホルダ１は、複数のコネクタを収容し保持した状態で、例えば、車両の座席における足下におけるインパネの下に取り付けられるものである（一例であるものとする）。なお、本実施例では、本発明の結束バンドの固定構造を、コネクタホルダ１に適用した場合を例として説明するが、これに限定されないものとする。その他、例えば、本発明の結束バンドの固定構造を、ワイヤハーネスを挿通し保護するプロテクタや、自動車等に搭載される電気接続箱に適用しても良いものとする。
【００２２】
コネクタホルダ１は、合成樹脂からなり、図示のような形状に形成されている（形状は一例であるものとする）。コネクタホルダ１は、コネクタ収容部２と、カバー３と、ワイヤハーネス挿通部４と、を備えて構成されている。まず、コネクタホルダ１の上記各構成について説明する。
【００２３】
コネクタ収容部２は、ワイヤハーネス３０の端末に接続された複数のコネクタを収容し保持するために形成されている。内側に複数のコネクタ収容室５が形成されている。複数のコネクタ収容室５は、それぞれ、複数のコネクタを収容可能に形成されている。
【００２４】
カバー３は、コネクタがコネクタ収容室２に収容された状態でワイヤハーネス３０を保護するために形成されている。カバー３は、コネクタ収容部２にヒンジ（図示せず）を介して連続して形成されて、コネクタ収容部２に係合可能に形成されている。
【００２５】
ワイヤハーネス挿通部４は、本発明の結束バンドの固定構造を構成するものである。ワイヤハーネス挿通部４は、コネクタ収容部２に連続して樋状に形成されている。ワイヤハーネス挿通部４は、底壁６と、一対の側壁７，８と、空間９と、導出口１０と、案内部材１１と、湾曲部１２と、を備えて構成されている。ここで、底壁６は、図１において、コネクタホルダ１を左方向に９０度回転させた状態でワイヤハーネス挿通部４の底部に相当する壁のことをいうものとする。なお、図１において、案内部材１１が形成されている側を先端側と、案内部材１１が形成されている側とは反対側を後端側と、それぞれ、定義するものとする。
【００２６】
底壁６は、コネクタ収容部２に連続して帯板状に形成されている。一対の側壁７，８は、底壁６の両端から突出して帯板状に形成されている。一対の側壁７，８のうち、一方の側壁７は、他方の側壁８よりも大きく突出して形成されている。
【００２７】
空間９は、底壁６及び一対の側壁７，８で囲まれた内側に形成され、ワイヤハーネス３０を挿通する空間である。導出口１０は、底壁６及び一対の側壁７，８の先端に形成されている開口であって、空間９からコネクタ収容部２側へと、ワイヤハーネス３０を導出するように形成されている。
【００２８】
案内部材１１は、ワイヤハーネス３０を空間９内に固定する結束バンド１３（図２−図４参照）を挿通する部分として形成されている。案内部材１１は、底壁６の内側で、且つ導出口１０に形成されている。案内部材１１は、先端側が導出口１０から突出して形成されている（このように案内部材１１を形成することにより、結束バンド１３を挿通する際、作業者が案内部材１１の位置を目視により確認し易くなる）。なお、本実施例において、案内部材１１は、導出口１０に形成されているが、これに限定されないものとする。その他、例えば、導出部１０の近傍に形成されていても良いものとする。したがって、案内部材１１を導出口１０よりも後端側に形成することもできる。すなわち、案内部材１１を底壁６の中間部に形成することもできる（一例であるものとする）。
【００２９】
案内部材１１は、底壁６に連結する壁面１８によって筒状に形成されている。案内部材１１の筒方向は、空間９に挿通されたワイヤハーネス３０の軸方向に対して傾斜して形成されている。案内部材１１は、他方の側壁８側における壁面１８の一部が、他方の側壁８に連結して形成されている。本実施例において、案内部材１１は、断面が長方形状となる角筒状に形成されている（案内部材１１の形状は、これに限定されないものとする。後述するように、他の形状であっても良いものとする）。
【００３０】
本実施例における案内部材１１は、複数の壁面１８（すなわち、第１壁面１８ａと、第２壁面１８ｂ及び第３壁面１８ｃ）を略コ字状に形成することによって構成されている。第１壁面１８ａ及び第２壁面１８ｂは、対向するようにして、底壁６から突設されている。第１壁面１８ａと第２壁面１８ｂとの幅は、後端側にいくにしたがって狭くなるように形成されている。本実施例において、第１壁面１８ａは、他方の側壁８側に形成されている。第１壁面１８ａは、先端側の一部が、他方の側壁８に連結して形成されている。本実施例において、他方の側壁８に連結して形成されている第１壁面１８ａの先端側の一部は、特許請求の範囲における「案内部材を形成する壁面の一部」に相当するものである。第３壁面１８ｃは、第１壁面１８ａの先端部と第２壁面１８ｂの先端部とを連結するとともに、底壁６と対向するように形成されている。第３壁面１８ｃは、後端側にいくにしたがって、底壁６との幅が狭くなるように傾斜するテーパ状に形成されている。
【００３１】
案内部材１１の内側には、結束バンド１３が挿通可能な挿通孔１４が形成されている。挿通孔１４は、先端側が入口１５として形成されている。入口１５は、結束バンド１３の先端１３ａが挿入される部分として開口形成されている。本実施例において、入口１５は、第１壁面１８ａが他方の側壁８に連結して形成されている。また、挿通孔１４は、後端側が出口１６として形成されている。出口１６は、入口１５から挿入された結束バンド１３を空間９内に導出する部分として開口形成されている。出口１６は、一方の側壁７に向くように形成されている
【００３２】
案内部材１１は、壁面１８の内面１７が、入口１５から出口１６に向かって傾斜するテーパ状に形成されている。すなわち、案内部材１１の挿通孔１４は、入口１５から出口１６に向かって次第に狭くなるように形成されている。
【００３３】
なお、案内部材１１は、本実施例において、断面が長方形状の角筒状に形成されているが、これに限定されるものではない。その他、図示しないが、案内部材１１の断面が、正方形状や台形状（一例であるものとする）となるような角筒状に形成されていても良いものとする。この場合、案内部材１１を形成する複数の壁面１８のうち、他方の側壁８側における壁面１８が他方の側壁８に連結して形成されることになる。
【００３４】
また、案内部材１１は、角筒状の形状に限定されるものではない。その他、図示しないが、案内部材１１の断面が、略半円形状（一例であるものとする）となるアーチ状をした筒状に形成されていても良いものとする。この場合、他方の側壁８側に形成される案内部材１１の壁部１８の一部は、他方の側壁８に連結して形成されている。
【００３５】
さらに、図示しないが、案内部材１１の断面が、略真円形状や略長円形状（一例であるものとする）となるような円筒状に形成されていても良いものとする。案内部材１１を略真円形状に形成した場合、底壁６側に形成される案内部材１１の壁面１８の一部は、底壁６に連結して形成されている。また、他方の側壁８側に形成される案内部材１１の壁部１８の一部は、他方の側壁８に連結して形成されている。案内部材１１を略長円形状に形成した場合、略長円形状となる案内部材１１の短径方向における端部のうち、底壁６側の端部が底壁６に連結して形成されている。また、略長円形状となる案内部材１１の長径方向における端部のうち、他方の側壁８側の端部が他方の側壁８に連結して形成されている。
【００３６】
湾曲部１２は、空間９内における、底壁６と一方の側壁７とが連続する部分に、断面略円弧状に湾曲して形成されている。湾曲部１２は、挿通孔１４の出口１６から導出された結束バンド１３の先端１３ａが突き当たるように配置されている。
【００３７】
つづいて、図２−図４を参照しながら、本発明の結束バンド１３の固定構造によって、ワイヤハーネス３０を固定する作業手順について説明する。なお、図２−４は、図１におけるコネクタホルダ１を左方向に９０度回転させた状態で治具板上に載置し、作業者が案内部材１１の手前で作業する場合を示すものとする。
図２において、まず、破線で示すワイヤハーネス３０をワイヤハーネス挿通部４の空間９内に挿通させる。しかる後、結束バンド１３を、先端１３ａから挿通孔１４の入口１５に差し入れ、矢印Ｂの方向に挿入していく。そうすることにより、結束バンド１３は、挿通孔１４の出口１６から導出される。
【００３８】
結束バンド１３を、さらに、挿通孔１４に挿入していくと、結束バンド１３は、ワイヤハーネス２の軸方向に対して斜めに交差するように案内される。しかる後、結束バンド１３の先端１３ａが湾曲部１２に突き当たると、結束バンド１３は湾曲部１２に添って反り上がる。さらに、結束バンド１３を挿通孔１４に挿入していくと、一方の側壁７とワイヤハーネス３０との隙間から結束バンド１３の先端１３ａが導出される。
【００３９】
図３において、結束バンド１３の先端１３ａを結束バンド１３の係止穴１３ｂに手作業で挿通させる。しかる後、結束バンド１３の先端１３ａを、矢印Ｃの方向から差し込まれたバンドガン（図示せず）に取り付ける。そして、バンドガンの操作により、結束バンド１３を矢印Ｄの方向に引っ張る。そうすることにより、ワイヤハーネス３０は、結束バンド１３によって締め付けられ、案内部材１１に固定される。なお、結束バンド１３は、係止穴１３内に形成された係止片（図示せず）が係止溝１３ｃ（図２参照）に係止されるため、結束バンド１３によるワイヤハーネス３０の締め付けは外れないようになる。
【００４０】
図４において、最後に、結束バンド１３の先端１３ａ側の余長を切断する（切断は、例えば、バンドガンに設けられているカッターで行うことができる）。以上でワイヤハーネス３０を結束バンド１３で固定する作業が完了する。
【００４１】
以上、図１−図４を参照しながら説明してきたように、本発明の結束バンド１３による固定構造によれば、案内部材１１を、底壁６に設けるとともに、導出口１０又は導出口１０近傍に設けることになる。また、案内部材１１は、案内部材１１を形成する壁面１８の一部が他方の側壁８に連結して形成される入口１５を備え、出口１６が一方の側壁７に向くように形成される。そして、案内部材１１の筒方向がワイヤハーネス３０の軸方向に対して傾斜して形成される。そうすることにより、結束バンド１３を、この結束バンド１３の先端１３ａから案内部材１１の入口１５に挿入していくと、案内部材１１の出口１６から導出された結束バンド１３は、ワイヤハーネス挿通部４の空間９内において、ワイヤハーネス３０の軸方向に対して傾斜して案内される。したがって、ワイヤハーネス挿通部４の空間９内に挿通されたワイヤハーネス３０に結束バンド１３を作業性良く巻き付けることができる。
【００４２】
また、本発明の結束バンド１３による固定構造によれば、挿通孔１４の出口１６から導出された結束バンド１３の先端１３ａが湾曲部１２に突き当たることになる。そうすることにより、結束バンド１３は、湾曲部１２に添って反り上がるように案内されることになる。このことから、結束バンド１３は、一方の側壁７と、ワイヤハーネス挿通部４の空間９内に挿通されたワイヤハーネス３０との隙間から導出されることになる。したがって、ワイヤハーネス挿通部４の空間９内に挿通されたワイヤハーネス３０に結束バンド１３を、より作業性良く巻き付けることができる。
【００４３】
さらに、本発明の結束バンド１３による固定構造によれば、案内部材１１は、入口１５から出口１６に向かって狭くなるようになっている。そうすることにより、結束バンド１３の先端１３ａを入口１５に挿入し易くなるとともに、結束バンド１３を、より確実に一方の側壁７側で且つワイヤハーネス３０の軸方向に対して傾斜して案内することができるようになる。したがって、ワイヤハーネス挿通部４の空間９内に挿通されたワイヤハーネス３０に結束バンド１３を、より作業性良く巻き付けることができる。
【００４４】
このような本発明の結束バンド１３による固定構造によれば、ワイヤハーネス３０に結束バンド１３を巻き付けることにより、結束バンド１３の結束部分を一方の側壁７等の障害物が存在しない位置に設けることができるため、バンドガンで結束バンド１３を締め付ける際、一方の側壁７等が障害とならず結束部分にバンドガンを向けることができる。このことから、バンドガンを使用するスペースを十分に確保することができるため、バンドガンによる結束バンド１３の締め付けの作業性を向上させることができる。
【００４５】
また、発明の結束バンド１３による固定構造によれば、案内部材１１の先端がワイヤハーネス挿通部４の外側に大きく突出して形成されていないため、案内部材１１の剛性が他の部分に比べて剛性が弱くなることにはならない。また、案内部材１１が周囲の部材に接触する虞もない。すなわち、案内部材１１が周囲の部材に接触することによる案内部材１１の破損が生じる虞はない。
【００４６】
これに対して、図５における締結バンドの固定構造では、一対の側壁１０３，１０４のうち一方の側壁１０３が他方の側壁１０４よりも大きく突出して形成されているため、案内部材１０８付近にバンドガンを差し込むことができない。
【００４７】
また、図６及び図７における締結バンドの固定構造では、締結バンド固定部材２０１は、ワイヤハーネス挿通部１０１の外側に大きく突出しているため、他の部分に比べて剛性が弱くなっている。したがって、図６及び図７における締結バンドの固定構造を適用したコネクタホルダ２００を車両等に取り付ける際、締結バンド固定部材２０１が周囲の部材等に接触し、締結バンド固定部材２０１が破損する虞がある。
【００４８】
以上からも分かるように、本発明の結束バンド１３の固定構造によれば、ワイヤハーネス３０に結束バンド１３を巻き付けることにより、結束バンド１３の結束部分を一方の側壁７等の障害物が存在しない位置に設けることができるため、バンドガンで結束バンド１３を締め付ける際、一方の側壁７等の障害物によって締め付け作業のスペースを奪われることなく結束部分にバンドガンを向けることができる。したがって、バンドガンを使用するスペースの制約を受けずに結束バンド１３の取り付けにおける作業性を向上することができる結束バンド１３の固定構造を提供することすることができる。
【００４９】
また、本発明の結束バンド１３の固定構造によれば、結束バンド１３は、湾曲部１２に添って反り上がるように案内されことにより、結束バンド１３を、一方の側壁７とワイヤハーネス３０との隙間から導出することができるようになる。したがって、結束バンド１３の取り付けにおける作業性を、より向上することができる結束バンド１３の固定構造を提供することすることができる。
【００５０】
さらに、本発明の結束バンド１３の固定構造によれば、結束バンド１３の先端１３ａを入口１５に挿入し易くなるとともに、結束バンド１３を、より確実に一方の側壁７側で且つワイヤハーネス３０の軸方向に対して傾斜して案内することができるようになる。したがって、結束バンド１３の取り付けにおける作業性を、より向上することができる結束バンド１３の固定構造を提供することすることができる。
【００５１】
この他、本発明は本発明の主旨を変えない範囲で種々変更実施可能なことは勿論である。
【符号の説明】
【００５２】
１…コネクタホルダ、  ２…コネクタ収容部、  ３…カバー、  ４…ワイヤハーネス挿通部、  ５…コネクタ収容部、  ６…底壁、  ７…一方の側壁、  ８…他方の側壁、  ９…空間、  １０…導出口、  １１…案内部材、  １２…湾曲部、  １３…結束バンド、  １３ａ…先端、  １３ｂ…係止穴、  １３ｃ…係止溝、  １４…挿通孔、  １５…入口、  １６…出口、  １７…内面、  １８…壁面（１８ａ…第１壁面、  １８ｂ…第２壁面、  １８ｃ…第３壁面）、  ３０…ワイヤハーネス
【図１】
2015097434.tif 000003
【図２】
2015097434.tif 000004
【図３】
2015097434.tif 000005
【図４】
2015097434.tif 000006
【図５】
2015097434.tif 000007
【図６】
2015097434.tif 000008
【図７】
2015097434.tif 000009